(57)【要約】
【課題】  内部への塵や埃の侵入よる導電効率の低下、及び、異物の侵入による感電事故を確実に防ぐことができるコンセントを提供すること。
【解決手段】  外殻体１に一対の差込口１１を形成し、内殻体２に差込口１１と対応する導電端子２１及び内差込口２２を設け、外殻体１の天部と内殻体２との間の空間Ａに、スライドカバー３を幅方向及び上下方向へ移動可能に設置し、その上面に差込口１１へ抜挿可能な突起部３１を形成し、突起部３１の上端面を斜面３１１とし、弾力部品５によってスライドカバー３を突起部３１が差込口１１と一致するよう幅方向に付勢し、弾力支持体４によってスライドカバー３の下面中間部を支持して上方へ付勢する。
【選択図】          図４
0003101337.tif 000002
【実用新案登録請求の範囲】
【請求項１】
外殻体と、該外殻体の内部に上方に空間をあけて収納された内殻体と、前記空間内にそれぞれ設置されたスライドカバー、弾力支持体及び弾力部品とを備え、前記外殻体の天部の幅方向両側部に一対の差込口を形成し、前記各差込口と対応する位置において、前記内殻体内部に導電端子を設置し、前記内殻体の上面から導電端子に達する内差込口を形成し、前記スライドカバーは幅方向及び上下方向に移動可能であり、その上面に前記差込口に抜挿可能な一対の突起部を形成し、これら突起部の上端面を幅方向へ同じ向きに傾斜した斜面とし、前記弾力部品は前記スライドカバーを突起部が前記差込口と一致するよう幅方向に付勢し、前記弾力支持体は、前記突起部の間においてスライドカバーの下面中間部を支持して、該スライドカバーを上方へ付勢すると共に、前記スライドカバーの揺動の支点となり、常態において前記スライドカバーの突起部が差込口に挿入されて差込口を遮蔽し、両側の突起部の斜面が下方へ押圧された時に、前記弾力部品の付勢力に抗した推力が発生して、前記スライドカバーが幅方向へ移動して前記差込口が開放され、一方の差込口のみが下方へ押圧された時、前記スライドカバーが揺動して、幅方向への移動が規制されることを特徴としたコンセント。
【考案の詳細な説明】
【技術分野】
【０００１】
本考案は、塵や埃或いは異物の侵入を防止できる安全性の高いコンセントに関する。
【背景技術】
【０００２】
一般的な壁面コンセント及び延長コンセントは、二つ又は三つを一組とする差込口を１乃至複数組有するが、これらの差込口は開放されているので、幼児等が好奇心から異物を差込口へ挿入し、感電する事故が発生しやすい。
また、差込口の内部には銅材料より成る導電端子が設置されており、この導電端子が長期間空気中にさらされると、銅の酸化や埃の体積によって、導電効率に悪影響がある。
従って、従来のコンセントは潜在的な危険性を有しており、理想的といえるものではなかった。
【考案の開示】
【考案が解決しようとする課題】
【０００３】
本考案が解決しようとする課題は、内部への塵や埃の侵入よる導電効率の低下、及び、異物の侵入による感電事故を確実に防ぐことができるコンセントを提供することにある。
【課題を解決するための手段】
【０００４】
本考案のコンセントは、外殻体と、該外殻体の内部に上方に空間をあけて収納された内殻体と、前記空間内にそれぞれ設置されたスライドカバー、弾力支持体及び弾力部品とを備え、前記外殻体の天部の幅方向両側部に一対の差込口を形成し、前記各差込口と対応する位置において、前記内殻体内部に導電端子を設置し、前記内殻体の上面から導電端子に達する内差込口を形成し、前記スライドカバーは幅方向及び上下方向に移動可能であり、その上面に前記差込口に抜挿可能な一対の突起部を形成し、これら突起部の上端面を幅方向へ同じ向きに傾斜した斜面とし、前記弾力部品は前記スライドカバーを突起部が前記差込口と一致するよう幅方向に付勢し、前記弾力支持体は、前記突起部の間においてスライドカバーの下面中間部を支持して、該スライドカバーを上方へ付勢すると共に、前記スライドカバーの揺動の支点となり、常態において前記スライドカバーの突起部が差込口に挿入されて差込口を遮蔽し、両側の突起部の斜面が下方へ押圧された時に、前記弾力部品の付勢力に抗した推力が発生して、前記スライドカバーが幅方向へ移動して前記差込口が開放され、一方の差込口のみが下方へ押圧された時、前記スライドカバーが揺動して、幅方向への移動が規制される。
【考案の効果】
【０００５】
本考案によれば、常態では、スライドカバーの突起部が自動的に差込口に挿入されて、完全に差込口を遮蔽しているので、塵や埃がコンセント内部に侵入して導電効率が低下する心配がない。
また、一方の差込口に異物が挿入された場合は、スライドカバーの幅方向への移動が規制されて、差込口の下方が開放されないので、異物が導電端子に達して感電底が発生するのを防ぐことができる。
【考案を実施するための最良の形態】
【０００６】
以下、本考案の実施例を図面に基づいて詳細に説明する。
【実施例１】
【０００７】
図１乃至図４は、本考案の実施例１を示す。
本考案のコンセントは、図１に示すように、外殻体１、内殻体２、スライドカバー３、弾力支持体４及び弾力部品５を備える。
外殻体１は、上殻体１０Ａ及び下殻体１０Ｂを係合して箱形に形成され、上殻体１０Ａの天部の幅方向両側寄りにそれぞれ差込口１１を穿設してある。
図１及び図２に示すように、上殻体１０Ａの天部下面において、一方の差込口１１の外側に臨む位置には、常態におけるスライドカバー３の一端面に当接して位置を決める当接片１４を設ける。また、他方の差込口１１の内側に臨む位置には支持片１２を形成すると共に、該支持片１２内側面には突起１２１を当接片１４に向かって突設してある。
さらに、上殻体１０Ａの天部下面において、他方の差込口１１よりも外側には、下端面から上方へ向かうスリットを有する嵌合片１３を設ける。
【０００８】
内殻体２は、下殻体１０Ｂ内に収納されて、上殻体１０Ａの内部へその天部との間に空間Ａが形成されるように突出している。
また、外殻体１の差込口１１の直下において、内殻体２の内部空間には一対の導電端子２１を設置し、差込口１１と対応する位置に、内殻体２の上面から内部空間に達する内差込口２２を形成する。
【０００９】
スライドカバー３は、中央部に開口部３２を有する略矩形の中空枠体より成り、内殻体２と外殻体１との間に形成された空間Ａ内において、上殻体１０Ａの差込口１１の下方に、垂直移動及び水平移動可能に設置される。
また、スライドカバー３の両側枠上面には、差込口１１に抜挿可能に係合する一対の突起部３１を設ける。突起部３１の上面は、当接片１４側が低くなるよう傾斜した斜面３１１となっている。さらに、一側枠の内面には開口部３２の中心に向かって柱状部３２１を突設する。
スライドカバー３は、空間Ａの嵌合片１３と当接片１４との間に配置され、開口部３２に上殻体１０Ａの支持片１２が挿通され、スライドカバー３の柱状部３２１と上殻体１０Ａの突起１２１とが対向している。
【００１０】
弾力支持体４は、弾力性を有する金属板より成り、その底部から一側へ向かって延びる前後一対の弾性片４１を有する。弾性片４１は緩やかな円弧状を描いて上方へ湾曲し、その先端部は上方に凸に湾曲している。また、一対の弾性片４１の間には切欠部４３が形成され、弾性片４１は垂直方向に揺動できるようになっている。
弾力支持体４の他端は略垂直に起立して、上殻体１０Ａの嵌合片１３のスリットに挿入される固定片４２を形成し、固定片４２には、上端から下端に向かって外方へ斜めに張り出すよう切り起こして傾斜片４２１を形成する。この傾斜片４２１がスリットの内面に碇着して抜け止めとなるので、弾力支持体４は強固に取り付けられて脱落することがない。
そして、弾性片４１の先端部がスライドカバー４の前後枠下面の中間部に当接し、スライドカバー３を上方へ付勢している。
【００１１】
弾力部品５は、コイルバネより成り、その一端部がスライドカバー３の柱状部３２１に係合され、他端部が上殻体１０Ａの突起１２１に係合される。
そして、弾力部品５によって、スライドカバー３が上殻体１０Ａの当接片１４に向けて水平方向に付勢されている。
スライドカバー３は、常態では図２に示すように、一側面が上殻体１０Ａの当接片１４に当接すると共に、上面が上殻体１０Ａの天部下面に密着し、突起部３１が差込口１１に挿入されて、差込口１１を遮蔽している。
【００１２】
スライドカバー３が垂直方向下方へ移動すると、弾力支持体４の弾性片４１が変形して、スライドカバー３を上方へ押し戻そうとする復元力が得られ、スライドカバー３が当接片１４から遠ざかる方向へ水平移動すると、弾力部品５が圧縮されて、スライドカバー３当接片１４に向けて押し戻そうとする復元力が得られる。
スライドカバー３の一方の突起部３１のみに圧力が加わると、弾性片４１の先端部を支点としてスライドカバー3が揺動する。
【００１３】
図3に示すように、プラグＢの刃Ｂ１を一対の差込口１１に挿入すると、一対の突起部3１が同時に下方へ押されて差込口１１から抜けだし、スライドカバー3が弾性片4１の付勢に抗して、これを変形させながら下方へ移動する。
そして、プラグＢの刃Ｂ１と突起部3１上端の斜面3１１とが相対的に滑動して水平方向の推力が生まれ、スライドカバー3は、弾力部品５の付勢に抗して、これを変形させながら嵌合片１３に接近するよう水平方向へ移動する。
最終的に、突起部３１が完全に差込口１１から外れた位置へ移動すると、プラグＢの刃Ｂ１は、スライドカバー３の開口部３２及び内殻体２の内差込口２２を通して導電端子２１内に挿入され、導通状態となる。
【００１４】
プラグＢを引き抜くと、スライドカバー３は、弾力部品５及び弾力支持体４の復元力によって元の位置へ復帰する。
この時、上殻体１０Ａの当接片１４がスライドカバー３の幅方向の位置を規制するので、スライドカバー３の突起部３１は、再び上殻体１０Ａの差込口１１に挿入される。
【００１５】
図４に示すように、一方の差込口１１に異物が挿入されると、一方の突起部３２のみが異物によって下方へ押されるので、スライドカバー３は弾性片１１の先端部によって支持された個所を中心に揺動し、他方の突起部３２は上方へ押し上げられて差込口１１に挿入された状態を維持する。
従って、スライドカバー３は水平方向に移動することができず、異物が侵入した差込孔１１の下方は突起部３２で遮られるため、異物は内差込孔２２を通過して導電端子２１に達することができない。
【実施例２】
【００１６】
図５乃至図８は、本考案の実施例２を示す。
図５及び図６に示すように、上殻体１０Ａの他側内面には突起１５を突出し、上殻体１０Ａの前後内面の上端には、先端間の距離がスライドカバー３’の前後寸法とほぼ等しくなるよう設定したガイド片１６をそれぞれ形成する。
また、内殻体３の上面中央部には係合穴２３を設ける。
スライドカバー３’の開口部３３は、実施例１の開口部３２に比べて小さく、他方の突起部３１の内側に接して形成される。また、スライドカバー３’の他側面（当接片１４と逆側の側面）には、柱状部３４が突設される。
【００１７】
弾力支持体６は、コイルバネ６２と、コイルバネ６２を覆うバネカバー６１とから成り、その下部が内殻体２の係合穴２３に挿入され、上方へ突出している。
そして、バネカバー６１の上端がスライドカバー３’の下面中央部に当接され、コイルバネ６２によってスライドカバー３’が上方へ付勢されている。
弾力部品８はコイルバネより成り、その一端部がスライドカバー３’の柱状部３４に係合されると共に、他端部が上殻体１０Ａの突起１５に係合されて、スライドカバー３’を当接片１４に接近するよう水平方向へ付勢している。
そして、常態では、スライドカバー３’の一端面が当接片１４に当接し、スライドカバー３’の上面が上殻体１０Ａの天部下面に密着して、突起部３１が差込口１１へ挿入されている。
【００１８】
図７に示すように、プラグＢの刃Ｂ１を一対の差込口１１に挿入すると、一対の突起部3１が同時に下方へ押されて差込口１１から抜けだし、スライドカバー3’が下方へ平行移動して、弾力支持体６のコイルバネ６２が圧縮され、弾力部品８の一端部が下方へ移動する。
プラグＢの刃Ｂ１と突起部3１上端の斜面3１１とが相対的に滑動して水平方向の推力が生まれ、スライドカバー3は上殻体１０Ａの他側面に接近するよう水平方向へ移動して、弾力部品８が圧縮される。
突起部３１が完全に差込口１１から外れた位置へ移動すると、プラグＢの刃Ｂ１は、スライドカバー３の開口部３３及び内殻体２の内差込口２２を通して導電端子２１内に挿入され、導通状態となる。
【００１９】
図８に示すように、一方の差込口１１に異物が挿入されると、一方の突起部３２のみが異物により下方へ押されて、スライドカバー３’は弾力支持体６の上端によって支持された個所を中心に揺動し、他方の突起部３２は差込口１１に挿入された状態を維持するので、スライドカバー３’は水平方向に移動することができない。このため、差込孔１１の下方は突起部３２で遮られるため、異物は内差込孔２２を通過して導電端子２１に達することができない。
その他の構成は実施例１とほぼ同様なので、同一部分に同一符号を付して、詳細な説明を省略する。
【図面の簡単な説明】
【００２０】
【図１】実施例１を示すコンセントの分解斜視図。
【図２】実施例１を示すコンセントの常態における縦断面図。
【図３】実施例１を示すコンセントのプラグ差込時における縦断面図。
【図４】実施例１を示すコンセントの異物侵入時における縦断面図。
【図５】実施例２を示すコンセントの分解斜視図。
【図６】実施例２を示すコンセントの常態における縦断面図。
【図７】実施例２を示すコンセントのプラグ差込時における縦断面図。
【図８】実施例２を示すコンセントの異物侵入時における縦断面図。
【符号の説明】
【００２１】
１  外殻体
１０Ａ  上殻体
１１  差込口
１２  支持片
１２１，１５  突起
１３  嵌合片
１４  当接片
１６  ガイド片
２  内殻体
２１  導電端子
２２  内差込口
２３  係合穴
３，３’  スライドカバー
３１  突起部
３１１  斜面
３２，３３  開口部
３２１，３４  柱状部
４  弾力支持体
４１  弾性片
４２  固定片
４２１  傾斜片
５，８  弾力部品
６  弾力支持体
６１  バネカバー
６２  コイルバネ
Ａ  空間
Ｂ  プラグ
Ｂ１  刃
【図１】
0003101337.tif 000003
【図２】
0003101337.tif 000004
【図３】
0003101337.tif 000005
【図４】
0003101337.tif 000006
【図５】
0003101337.tif 000007
【図６】
0003101337.tif 000008
【図７】
0003101337.tif 000009
【図８】
0003101337.tif 000010